(57)【特許請求の範囲】
【請求項１】
記録ヘッドを搭載するキャリッジをキャリッジ接離駆動部によりプラテンに接離させて該プラテンと記録ヘッドとの相対ギャップ長を記録用紙の紙厚に合わせて調整する記録装置におけるプラテンギャップ調整装置であって、
記録用紙搬送面と平行に複数枚の薄板が積層されると共に、該薄板の板面に直交する軸の回りに個別に回転可能に軸支されて成る薄板集合体と、
記録用紙搬送面上を搬送される記録用紙の側辺部が前記薄板集合体の部分を通過することにより回転された薄板の表面に接離可能な可動ピンと、
該可動ピンの位置に移動したキャリッジを前記キャリッジ接離駆動部によりプラテンに対して接近させ、当該可動ピンが前記回転された薄板の表面に押し当たる位置で止めることで、前記相対ギャップ長を調整するギャップ調整制御部と、を備えたことを特徴とする記録装置におけるプラテンギャップ調整装置。
【請求項２】
請求項１において、前記可動ピンは、キャリッジの押圧力から開放されたときは初期位置に復位するように付勢手段により付勢されていることを特徴とする記録装置におけるプラテンギャップ調整装置。
【請求項３】
請求項１または２において、前記薄板は、ほぼ半円形状に形成され、その円周に沿って回転可能に前記軸により軸支されていることを特徴とする記録装置におけるプラテンギャップ調整装置。
【請求項４】
請求項１から３のいずれかにおいて、前記キャリッジ接離駆動部は、両端に設けられた偏心軸を介してフレームに軸支されるキャリッジガイド軸と、該キャリッジガイド軸を前記偏心軸の回りに回転させる駆動部とを備え、該キャリッジガイド軸の回転によりキャリッジの記録ヘッドがプラテンに接離するように構成されていることを特徴とする記録装置におけるプラテンギャップ調整装置。
【請求項５】
請求項１から３のいずれかに記載されたプラテンギャップ調整装置を備えた記録装置。
【発明の詳細な説明】
【０００１】
【発明の属する技術分野】
本発明は、プラテンと記録ヘッドとの相対ギャップ長を記録用紙の厚みに応じて調整するプリンタ等の記録装置におけるプラテンギャップ調整装置に関するものである。
【０００２】
【従来の技術】
記録ヘッド、特にインクリボンを介して記録用紙にインパクトワイヤを打撃して印字するワイヤドット型記録装置においては、高速印字を図るためにはインパクトワイヤの打撃ストロークを可及的に小さくする必要がある。一方、ワイヤドット記録ヘッドは、機械的強度が大きく、しかも複写材を介すると同時にコピーが可能であるため、印刷可能とされる記録用紙の種類が多く、記録ヘッドと記録用紙との距離が他の形式のプリンタに比べて大きく変動する特性がある。
【０００３】
【発明が解決しようとする課題】
上記特性から、特にワイヤドット型記録ヘッドを使用するプリンタ等の記録装置は、通常記録ヘッドとプラテンとの距離である相対ギャップ長を調整するための機構を備えているが、記録用紙毎に最適な相対ギャップ長に設定するには熟練を要し、また作業が面倒であるという問題があった。
【０００４】
本発明の課題は、熟練を要することなく、記録用紙の厚みに応じて記録ヘッドとプラテンとの相対ギャップ長を簡単に調整することのできる記録装置におけるプラテンギャップ調整装置およびそれを備えた記録装置を提供することにある。
【０００５】
【課題を解決するための手段】
上記課題を達成するため、本願請求項１に記載の発明は、記録ヘッドを搭載するキャリッジをキャリッジ接離駆動部によりプラテンに接離させて該プラテンと記録ヘッドとの相対ギャップ長を記録用紙の紙厚に合わせて調整する記録装置におけるプラテンギャップ調整装置であって、記録用紙搬送面と平行に複数枚の薄板が積層されると共に、該薄板の板面に直交する軸の周りに個別に回転可能に軸支されて成る薄板集合体と、記録用紙搬送面上を搬送される記録用紙の側辺部が前記薄板集合体の部分を通過することにより回転された薄板の表面に接離可能な可動ピンと、該可動ピンの位置に移動したキャリッジを前記キャリッジ接離駆動部によりプラテンに対して接近させ、当該可動ピンが前記回転された薄板の表面に押し当たる位置で止めることで、前記相対ギャップ長を調整するギャップ調整制御部と、を備えたことを特徴とするものである。
【０００６】
本発明によれば、記録ヘッドとプラテンとの相対ギャップ長を調整するに際しては、前記ギャップ調整制御部によって、可動ピンの位置に移動したキャリッジを前記キャリッジ接離駆動部によりプラテンに対して接近させ、当該可動ピンが前記回転された薄板の表面に押し当たる位置で止めることで、前記相対ギャップ長の調整が行えるので、熟練を要することなく、記録用紙の厚みに応じて当該相対ギャップ長を簡単に調整することができる。
【０００７】
また、本願請求項２に記載の発明は、請求項１に記載された記録装置におけるプラテンギャップ調整装置において、前記可動ピンは、キャリッジの押圧力から開放されたときは初期位置に復位するように付勢手段より付勢されていることを特徴とするものである。本発明によれば、前記相対ギャップ長の調整が一旦終了すると、その付勢手段の付勢力によって、可動ピンは前記薄板の表面から離れて初期位置に復位するため、別の紙厚の記録用紙に対して相対ギャップ長を調整する際に、そのまま実行することができ、簡単である。
【０００８】
また、本願請求項３に記載の発明は、請求項１または２に記載された記録装置におけるプラテンギャップ調整装置おいて、前記薄板は、ほぼ半円形状に形成され、その円周に沿って回転可能に前記軸により軸支されていることを特徴とするものである。本発明によれば、当該薄板は、ほぼ半円形状に形成され、その円周に沿って回転可能に構成されているため、その回転の際に専有する面積が半径の範囲で済み、必要スペースを小さくできる。更に、半円形の弦部分に記録用紙の先端を当接させて回転させることが可能であるため、記録用紙から該薄板に確実に回転力を伝達することができ、もって相対ギャップ長調整に際しての一連の動作の安定性が増すと共に、軽量化を図ることができる。
【０００９】
また、本願請求項４に記載の発明は、請求項１から３のいずれかに記載された記録装置におけるプラテンギャップ調整装置において、前記キャリッジ接離駆動部は、両端に設けられた偏心軸を介してフレームに軸支されるキャリッジガイド軸と、該キャリッジガイド軸を前記偏心軸の回りに回転させる駆動部とを備え、該キャリッジガイド軸の回転によりキャリッジの記録ヘッドがプラテンに接離するように構成されていることを特徴とするものである。本発明によれば、当該偏心軸にて軸支されるキャリッジガイド軸をその偏心軸の回りに回転させるだけで、当該相対ギャップ長を調整することができるので、調整工程が単純である。
【００１０】
また、本願請求項５に記載の発明は、請求項１から３のいずれかに記載されたプラテンギャップ調整装置を備えた記録装置である。本発明によれば、当該相対ギャップ長を上記の如く、簡単に調整できるので、記録装置搬送に際しての紙詰まりの発生を少なくできると共に、記録品質を向上することができる。
【００１１】
【発明の実施の形態】
以下、本願発明の実施の形態を図面に基づいて説明する。図１は本発明に係るプラテンギャップ調整装置の原理を説明するための概略構成図であって相対ギャップ長の調整開始時点の状態を示し、図２は図１と同じ構成図であって、同調整終了直前の状態を示し、図３はプリンタのキャリッジおよびプラテン回りの概略側面図であり、図４はキャリッジガイド軸の偏心軸を説明するための要部斜視図であり、図５は同キャリッジガイド軸を回転させる駆動部を説明するための要部斜視図である。
【００１２】
先ず、図３に基づいて、プリンタのキャリッジおよびプラテン回りの概略構成を説明する。図示しないサイドフレームに公知の構造にてその両端部が回転可能に軸支されたキャリッジガイド軸１に、その長手方向に往復移動可能にキャリッジ２が装着されている。キャリッジ２を往復移動する駆動手段も公知の構造であるため、図示は省略されている。該キャリッジ２は、記録ヘッド３を有し、該記録ヘッド３と対向してプラテン４が設けられている。この記録ヘッド３とプラテン４との対向部の距離が、当該発明で調整する相対ギャップ長５である。記録用紙８は、図示しない公知の用紙搬送手段によりプラテン４上を図３に示したように搬送され、記録ヘッド３によって印字される。
【００１３】
図４に示したように、キャリッジガイド軸１の両端には、偏心軸６が大径部７と一体に設けられている。キャリッジガイド軸１は、この偏心軸６を介して前記図示を省略したサイドフレームに回転可能に軸支されている。従って、キャリッジガイド軸１を偏心軸６の回りに回転するとその大径部７が偏心回転し、該大径部７に装着されているキャリッジ２は、プラテン４に対して接離移動するようになっている。
【００１４】
図５に示したように、キャリッジガイド軸１を回転する駆動部９は、本実施の形態では、駆動モータ１０と、偏心軸６に一体的に回転するように取り付けられたギア１１と、前記駆動モータ１０の回転軸に設けられ且つ前記ギア１１に動力伝達可能に係合するピニオンギア１２とから構成されている。このように駆動部９を構成したことで、キャリッジガイド軸１は上記の如くその両端に設けられた偏心軸６を介してフレームに軸支されているため、該キャリッジガイド軸１をその偏心軸６の回りに回転させるだけで、キャリッジ２は、プラテン４に対して接離移動し、当該相対ギャップ長５を調整することができる。
【００１５】
図１に示したように、本実施の形態では、記録用紙搬送面１３と平行に複数枚の薄板１４，１４，……が積層された薄板集合体１５が設けられている。この薄板集合体１５は、板厚が０．０５ｍｍに形成され、各薄板１４，１４，……が、その板面に直交する軸１６の回りに個別に回転可能に軸支されている。各薄板１４，１４，……は、記録用紙搬送面１３上を搬送される記録用紙８の側辺部１７の先端が突き当たる位置に配設され、図２に示したように、記録用紙８が薄板集合体１５の部分を通過することによりその紙厚に対応した枚数だけ薄板１４が、回転されるようになっている。前記回転された薄板の表面１８に接離可能に可動ピン１９が配設されている。符号２０は可動ピン１９を移動可能に保持するホルダーを示す。
【００１６】
そして、相対キャップ長５を調整するためのギャップ調整制御部２１が、図２または図５に示したように、駆動モータ１０に接続されている。該ギャップ調整制御部２１は、相対キャップ長５を調整するときは、可動ピン１９の位置に移動したキャリッジ２を前記キャリッジ接離駆動部９によりプラテン４に対して接近させ、当該可動ピン１９が前記回転された薄板の表面１８に押し当たる位置で止めることで、前記相対ギャップ長５を調整するようになっている。当該可動ピン１９を止める位置は、回転された薄板の表面１８に可動ピン１９が押し当たることで、その方向への移動抵抗が増加することにもとづいて判定する要に形成されている。
【００１７】
また、本実施の形態では、可動ピン１９は、キャリッジ２の押圧力から開放されたときは初期位置に復位するようにバネ２２が縮設されている。更に、前記薄板１４，１４，……は、ほぼ半円形状に形成され、その円周に沿って回転可能に前記軸１６により軸支されている。
【００１８】
次に、本実施の形態に係るプラテンギャップ調整装置の作用を説明する。本実施の形態に係る装置によれば、記録ヘッド３とプラテン４との相対ギャップ長５を調整するに際して、前記ギャップ調整制御部２１によって、可動ピン１９の位置に移動したキャリッジ２を前記キャリッジ接離駆動部９によりプラテン４に対して接近させ、当該可動ピン１９が回転された薄板の表面１８に押し当たる位置で止めることで、当該相対ギャップ長５の調整が行え。従って、記録用紙の厚みに応じて当該相対ギャップ長を、熟練を要することなく簡単に調整することができる。
【００１９】
また、前記相対ギャップ長５の調整が一旦終了した後、バネ２２の付勢力によって、可動ピン１９を前記薄板の表面１８から離して初期位置に復位するようにしたものは、別の紙厚の記録用紙に対して、新たに相対ギャップ長５を調整する際に、そのまま実行することができ、簡単である。
【００２０】
また、当該薄板１４を、ほぼ半円形状に形成し、その円周に沿って回転可能に構成したものは、その回転の際に専有する面積が半径の範囲で済むため必要スペースを小さくすることができる。更に、半円形の弦部分に記録用紙８の先端を当接させて回転させることが可能であるため、記録用紙８から該薄板１４に確実に回転力を伝達することができ、もって相対ギャップ長５の調整に際しての一連の動作の安定性が増すと共に、軽量化を図ることができる。
【００２１】
また、前記実施の形態に係るプラテンギャップ調整装置を備えた記録装置によれば、当該相対ギャップ長５を上記の如く、簡単に調整できるので、記録装置搬送に際しての紙詰まりをの発生を少なくできると共に、記録品質を向上することができる。
【００２２】
【発明の効果】
本発明によれば、記録ヘッドとプラテンとの相対ギャップ長を調整するに際しては、前記ギャップ調整制御部によって、可動ピンの位置に移動したキャリッジを前記キャリッジ接離駆動部によりプラテンに対して接近させ、当該可動ピンが前記回転された薄板の表面に押し当たる位置で止めることで、前記相対ギャップ長の調整が行えるので、熟練を要することなく、記録用紙の厚みに応じて当該相対ギャップ長を簡単に調整することができる。
【図面の簡単な説明】
【図１】本発明に係るプラテンギャップ調整装置の原理を説明するための概略構成図であって相対ギャップ長の調整開始時点の状態を示す。
【図２】図１と同じ構成図であって、同調整終了直前の状態を示する。
【図３】プリンタのキャリッジおよびプラテン回りの概略側面図である。
【図４】キャリッジガイド軸の偏心軸を説明するための要部斜視図である。
【図５】同キャリッジガイド軸を回転させる駆動部を説明するための要部斜視図である。
【符号の説明】
１  キャリッジガイド軸
２  キャリッジ
３  記録ヘッド
４  プラテン
５  相対ギャップ長
６  偏心軸
７  大径部
８  記録用紙
９  駆動部
１３  記録用紙搬送面
１４  薄板
１５  薄板集合体
１６  軸
１７  記録用紙の側辺部
１８  回転された薄板の表面
１９  可動ピン
２１  ギャップ調整制御部
２２  バネ（付勢手段）
【図１】
0003632740.tif 000002
【図２】
0003632740.tif 000003
【図３】
0003632740.tif 000004
【図４】
0003632740.tif 000005
【図５】
0003632740.tif 000006